(57)【要約】【課題】  簡単な構成で、有機ＥＬ発光素子のラインを副走査方向に複数列配置したラインヘッドによる多重露光方式において、波長分布により生じるスポット径の増大化を防止し、画質の良いＰＷＭ制御による階調表現が可能な有機ＥＬ発光素子のラインヘッドを用いた画像形成装置を提供することを目的とする。【解決手段】  有機ＥＬ発光素子を感光体の主走査方向に直線状に複数個配置したラインを感光体の副走査方向に複数列配置し、前記有機ＥＬ発光素子のラインからの発光を結像光学系を通して感光体上の同一画素に多重露光し、かつ前記有機ＥＬ発光素子のラインの有機ＥＬ発光素子をＰＷＭ制御して階調表現可能とした画像形成装置であり、前記画像形成装置の光学系に副走査方向の色収差を補正する色収差補正レンズを別体として配置することを特徴とする。【選択図】  図１
2006110728.tif 000002
【特許請求の範囲】
【請求項１】
有機ＥＬ発光素子を感光体の主走査方向に直線状に複数個配置したラインを感光体の副走査方向に複数列配置し、前記有機ＥＬ発光素子の各ラインからの発光を結像光学系を通して感光体上の同一画素に多重露光し、かつ前記有機ＥＬ発光素子の各ラインの有機ＥＬ発光素子をＰＷＭ制御して階調表現可能とした画像形成装置であり、前記画像形成装置の光学系に副走査方向の色収差を補正する色収差補正レンズを別体として配置することを特徴とする画像形成装置。
【請求項２】
前記色収差補正レンズを長尺体として一体に形成し、その長手側が主走査方向となるように前記有機ＥＬ発光素子のラインに対応するように配置することを特徴とする請求項１に記載の画像形成装置。
【請求項３】
前記色収差補正レンズの中心位置と前記発光部の中心位置を光学装置により測定し、両者の位置ずれ量を算出することにより、前記色収差補正レンズの前記発光部に対する位置決めをすることを特徴とする請求項１又は２に記載の画像形成装置。
【発明の詳細な説明】
【技術分野】
【０００１】
本発明は、有機ＥＬ発光素子アレイからの発光を結像光学系により感光体上に露光する画像形成装置に関する。
【背景技術】
【０００２】
従来、電子写真法を用いた複写機、プリンター、ファックス等の画像形成装置においては、書込手段としてレーザ光源から照射されたレーザ光線を、回転多面鏡（ポリゴンミラー）を用いて走査し、感光体上に静電潜像を形成する画像形成装置や、複数のＬＥＤ素子を直線状に配置したＬＥＤアレイを用いて感光体に静電潜像を形成する画像形成装置が知られている。また、有機ＥＬ発光素子を直線状に配置した画像形成装置も知られている。
【特許文献１】特開平２−２７３２５８号公報
【特許文献２】特開平１１−１９８４３３号公報
【特許文献３】特開２０００−５０８１６号公報
【特許文献４】特開２０００−１０３１１４号公報
【発明の開示】
【発明が解決しようとする課題】
【０００３】
しかしながら、レーザ光線による露光方式の場合、ポリゴンミラーやレンズ等の光学部品が必要となり、装置の小型化が難しく、また超高速化も難しいという問題がある。また、タンデム配置のカラー画像形成装置においては、４本の走査ビームの走査位置精度を高めることが困難で、色ずれが発生し、画質が劣化する問題が発生する。
【０００４】
多数の微小なＬＥＤ素子を直線状に配列したＬＥＤアレイによる露光方式の場合、ＬＥＤ素子は、一般的に高輝度を得ることができるが、ＬＥＤ素子は基本的に半導体プロセスを用いて製造するため、基板が高価であり、製造歩留まりの関係から長尺化ができず、多数のチップを一列に並べる必要がある。その時、チップ間の段差、間隔の誤差が輝度のバラツキを生じ、濃度ムラが画像に顕著に表れるという問題がある。
【０００５】
有機物質を発光層に用いた有機ＥＬ発光素子は、他の発光素子に比べて製造が容易であり、発熱量が小さいために、冷却用の放熱フィン等を廃止することができ、露光手段を薄型かつ軽量のものとすることができる。しかし、有機ＥＬ発光素子の発光波長は、半値幅が約１００ｎｍと広いため、実効波長分布（感光体からみた発光波長分布）も半値幅が約１００ｎｍと広い。図９は、有機ＥＬ発光素子の発光部８からの書込光のロッドレンズ３を通しての感光体２への結像状態を示すものである。有機ＥＬ発光素子は、発光波長分布が広いため、点線で示す長波長の光線がロッドレンズ３の色収差により、感光体２上で大きなスポット径で結像してしまう。図１０は単波長の場合と有機ＥＬ発光素子６のように波長分布が広い書込光との発光強度とスポット径を比較した図である。波長分布が広い有機ＥＬ発光素子６のスポット径（点線）が単波長の書込光のスポット径（実線）より大きなスポット径となってしまい、鮮明な画像が形成されにくいという問題が発生する。スポット径が増大すると画像の輪郭が明確にならず画質に影響する。
特開２０００−５０８１６号公報及び特開２０００−１０３１１４号公報において開示されている、有機ＥＬ発光素子を感光体の主走査方向に複数個配置したラインを、感光体の副走査方向に複数列配置し、感光体上の同一画素を前記副走査方向の複数列のラインで多重露光する方式の画像形成装置で、各ラインの有機ＥＬ発光素子をＰＷＭ（パルス幅変調方式）制御し階調表現する場合、複数列の有機ＥＬ発光素子のスポットを感光体上の同一画素に重ねて露光するため、感光体のスポットの形状の精度が画質に大きく影響する。特に副走査方向の画素ラインのピッチが狭い場合、副走査方向のスポット径が増大すると、隣接したライン間の空白部がつぶれ画像の品質が低下する。
【０００６】
本発明は、前記従来技術のもつ課題を解決した、簡単な構成で、波長分布により生じるスポット径の増大化を防止し、画質の良いＰＷＭ制御による階調表現が可能な有機ＥＬ発光素子のラインヘッドを用いた画像形成装置を提供することを目的とする。
【課題を解決するための手段】
【０００７】
本第１発明は、前記課題を解決するために、画像形成装置において、有機ＥＬ発光素子を感光体の主走査方向に直線状に複数個配置したラインを感光体の副走査方向に複数列配置し、前記有機ＥＬ発光素子の各ラインからの発光を結像光学系を通して感光体上の同一画素に多重露光し、かつ前記有機ＥＬ発光素子の各ラインの有機ＥＬ発光素子をＰＷＭ制御して階調表現可能とした画像形成装置であり、前記画像形成装置の光学系に副走査方向の色収差を補正する色収差補正レンズを別体として配置することを特徴とする。
【０００８】
本第２発明は、本第１発明の画像形成装置において、前記色収差補正レンズを長尺体として一体に形成し、その長手側が主走査方向となるように前記有機ＥＬ発光素子のラインに対応するように配置することを特徴とする。
【０００９】
本第３発明は、本第１又は第２発明の画像形成装置において、前記色収差補正レンズの中心位置と前記発光部の中心位置を光学装置により測定し、両者の位置ずれ量を算出することにより、前記色収差補正レンズの前記発光部に対する位置決めをすることを特徴とする。
【発明の効果】
【００１０】
本発明の画像形成装置において、有機ＥＬ発光素子を感光体の主走査方向に直線状に複数個配置したラインを感光体の副走査方向に複数列配置し、前記有機ＥＬ発光素子の各ラインからの発光を結像光学系を通して感光体上の同一画素に多重露光し、かつ前記有機ＥＬ発光素子の各ラインの有機ＥＬ発光素子をＰＷＭ制御して階調表現可能とした画像形成装置であり、前記画像形成装置の光学系に副走査方向の色収差を補正する色収差補正レンズを別体として配置する構成により、副走査方向に配列された複数の有機ＥＬ発光素子の多重露光による階調表現において重要な副走査方向のスポット径が結像光学系の色収差により増大するのを防止し、画質のよい画像を得ることができる。特に、画素の副走査方向のピッチが狭い場合は、隣接したライン間の空白部が保持され輪郭部が明確となり画質が向上する。また、色収差補正レンズを結像光学系とは別体に配置するので、色収差補正レンズの製造が容易であり、その配置も容易となる。
色収差補正レンズを長尺体として一体に形成し、その長手側が主走査方向となるように有機ＥＬ発光素子のラインに対応するように配置する構成により、副走査方向の色収差の補正精度が向上し、かつ色収差補正レンズの製造が容易で、光学系の位置決め配置も容易となる。
色収差補正レンズの中心位置と前記発光部の中心位置を光学装置により測定し、両者の位置ずれ量を算出することにより、前記色収差補正レンズの前記発光部に対する位置決めをする構成により、精度のよい副走査方向の色収差の補正が可能となる。
【発明を実施するための最良の形態】
【００１１】
本発明の実施の形態を図により説明する。図１は、本発明の有機ＥＬ発光素子発光素子６を用いた感光体２上への露光手段１の一実施形態を示すものである。露光手段１は、感光体２に面して内外に通じるように中央部に屈折率分布型ロッドレンズ３を俵積みして取り付けている不透明なハウジング４を備える。複数のロッドレンズ３は直線状に配列されたロッドレンズアレイ３’を構成する。ロッドレンズアレイ３’は、感光体２の副走査方向に少なくとも１列配置される。不透明なハウジング４中の屈折率分布型のロッドレンズアレイ３’の後面に面して取り付けられたガラス基板５に形成された有機ＥＬ発光素子６が配置される。複数の有機ＥＬ発光素子６が直線状に配列され有機ＥＬ発光素子アレイ６’を構成する。有機ＥＬ発光素子アレイ６’は、感光体２の副走査方向に複数列配置される。前記ロッドレンズアレイ３’と有機ＥＬ発光素子アレイ６’はそれぞれ対応するように位置決めされる。有機ＥＬ発光素子アレイ６’とロッドレンズアレイ３’の間に、副走査方向の色収差を補正する色収差補正レンズ２５が配置される。色収差補正レンズ２５は、有機ＥＬ発光素子アレイ６’が伸びる方向に伸びる長尺体として別体に形成される。不透明なハウジング４の背面からその中の有機ＥＬ発光素子アレイ６’を遮蔽する不透明なカバー７とからなり、固定板バネ２４によりハウジング４背面に対して不透明なカバー７を押圧してハウジング４を光密に密閉するようになっている。
【００１２】
図２は、本発明の色収差補正レンズ２５の拡大図である。色収差補正レンズ２５は、軸方向に連続した凹部が形成された第１レンズ２６と、軸方向に連続した凸部が形成された第２レンズ２７とを、その凹部と凸部を接合し一体化した長尺体として成形される。色収差補正レンズ２５をその軸方向が有機ＥＬ発光素子アレイ６’と同じ主走査方向に伸びるように配置する。このように形成された色収差補正レンズ２５は、有機ＥＬ発光素子アレイ６’からの発光の副走査方向の色収差を補正し、結像光学系であるロッドレンズアレイ３’を通して感光体２上に副走査方向の色収差を補正したスポットを結像する。色収差レンズ２は、ガラス基板５に固定配置する。
【００１３】
図３は、色収差補正レンズ２５を有機ＥＬ発光素子６の発光部８が形成されたガラス基板５に対して位置決め配置するための構成を示すものである。図３に示されるように、ガラス基板５に形成された有機ＥＬ発光素子６の発光部８の発光中心位置２８と、色収差補正レンズ２５の中心位置２９とのズレ量を、カメラ等の光学装置３０で検出し、色収差補正レンズ２５を精確な位置に配置する。
【００１４】
図４は、露光手段１の有機ＥＬ発光素子６の発光部８近傍の１例の断面図を示す。有機ＥＬ発光素子６は、例えば０．５ｍｍ厚のガラス基板５上に、発光部８の発光を制御する厚さ５０ｎｍのポリシリコンからなるＴＦＴ９が発光部８に対応して設けられる。ガラス基板５上には、ＴＦＴ９上のコンタクトホールを除いて厚さ１００ｎｍ程度のＳｉＯ２からなる絶縁膜１０が成膜される。コンタクトホールを介してＴＦＴ９に接続するように発光部８の一に厚さ１５０ｎｍのＩＴＯからなる陽極１１が形成される。発光部８以外の位置に対応する部分には、厚さ１２０ｎｍ程度のＳｉＯ２からなる別の絶縁膜１２が成膜される。絶縁膜１２の上に発光部８に対応する穴１３を形成した厚さ２μｍのポリイミドからなるバンク１４が設けられる。バンク１４の穴１３内に陽極１１から順に、厚さ５０ｎｍの正孔注入層１５、厚さ５０ｎｍの発光層１６が成膜される。発光層１６の上面と穴１３の内面及びバンク１４の外面を覆うように厚さ１００ｎｍのＣａからなる陰極第１層１７と、厚さ２００ｎｍのＡｌからなる陰極第２層１８とが順に成膜され、その上に窒素ガス等の不活性ガス１９を介して厚さ１ｍｍ程度のカバーガラス２０でカバーされて有機ＥＬ発光素子６の発光部８が構成されている。発光部８からの発光はガラス基板５側に行われる。
【００１５】
図５は、感光体ユニットに取り付けられた感光体２に対して位置決め配置される露光手段１を示す斜視図である。有機ＥＬ発光素子６が複数個直線状に配置されたラインを感光体２の副走査方向に複数列配置し、感光体２上の画素に対して１ラインの有機ＥＬ発光素子アレイ６’で露光してから感光体２を移動させ、前記画素に対して次列の１ラインの有機ＥＬ発光素子アレイ６’で重ねて多重露光を行う画像装置を示す。ロッドレンズアレイ３’は、複数列に配置された有機ＥＬ発光素子アレイ６’に対応するように複数列配置される。また、ロッドレンズアレイ３’は、副走査方向に並んだ複数列の有機ＥＬ発光素子アレイ６’に対して１つというように、１対Ｎ（Ｎ：２以上の整数）で対応するように配置してもよい。有機ＥＬ発光素子アレイ６’の発光部８と感光体２との間に、別体に形成した色収差補正レンズ２５を配置する。書込手段１は、長尺の不透明なハウジング４中に保持されている。長尺の不透明なハウジング４の両端に設けた位置決めピン２１を感光体ユニットのケースの対向する位置決め穴に嵌入させると共に、長尺の不透明なハウジング４の両端に設けた固定ねじ孔２２を通して固定ねじをケースのねじ孔にねじ込んで固定し、露光手段１を所定位置に固定する。２３は駆動回路である。
【００１６】
図６は、本発明の画像形成装置の概略構成を示すブロック図である。
図６において、ホストコンピュータ１２１は、印刷データを形成して画像形成装置の制御部１２２に送信する。画像形成装置の制御部１２２は、データ処理手段１２３、記憶手段１２４〜１２７、前記記憶手段１２４〜１２７と対応して配列された有機ＥＬ発光素子ラインヘッド（光学ヘッド）１２８〜１３１を有している。
【００１７】
有機ＥＬ発光素子ラインヘッド１２８〜１３１は、それぞれ、イエロー、マゼンタ、シアン、ブラックの各色に対応するものであり、感光体２上にカラー画像を形成する。記憶手段１２４〜１２７は、各色の有機ＥＬ発光素子ラインヘッド１２８〜１３１に対応した画像データを記憶する。
【００１８】
データ処理手段１２３は、ホストコンピュータ１２１から送信された印刷データに基づいて、色分解、階調処理、画像データのビットマップへの展開、色ずれ調整などの処理を行う。データ処理手段１２３は、１ラインづつの画像データを各記憶手段１２４〜１２７に出力する。
【００１９】
有機ＥＬ発光素子ラインヘッド１２８〜１３１には、それぞれ複数列の有機ＥＬ発光素子ラインが設けられており、各列の発光素子が同一の画素に重ねて露光を行う多重露光の構成とされている。このため、各記憶手段１２４〜１２７は、それぞれ有機ＥＬ発光素子ラインヘッド１２８〜１３１に対して複数列の画像データを出力している。
【００２０】
図７は、図６の構成を部分的に示すブロック図である。図７においては、有機ＥＬ発光素子（イエロー）ラインヘッド１２８と、それに対応する記憶手段１２４の細部を示している。図７の例では、有機ＥＬラインヘッド１２８には、１ライン１２８ａに複数個の有機ＥＬ発光素子１３２が設けられている。また、この例では、感光体２の副走査方向Ｘに対して１２８ａ〜１２８ｅの５列に同数の発光素子が配置されている。
【００２１】
記憶手段１２４は、有機ＥＬ発光素子の各列のライン１２８ａ〜１２８ｅに対応して、シフトレジスタ１２４ａ〜１２４ｅを配列している。図７において、矢視Ｘ方向は感光体２の移動方向（副走査方向）、矢視Ｙ方向は主走査方向を示している。
【００２２】
次に、図７のブロック図の動作について説明する。データ処理装置１２３からの画像データが記憶手段１２４に入力されると、シフトレジスタ１２４ａからは、先頭の１ライン１２８ａの有機ＥＬ発光素子１３２に画像データが出力され、有機ＥＬ発光素子１３２の動作により所定の光量で感光体２上の画素を露光する。
【００２３】
感光体２を回転駆動して矢視Ｘ方向に移動させ、先頭の１ライン１２８ａの有機ＥＬ発光素子１３２で露光された画素を次の１ライン１２８ｂで配列された有機ＥＬ発光素子１３２の位置に到達させる。このときのタイミングで、シフトレジスタ１２４ａに入力された画像データをシフトレジスタ１２４ｂに転送する。
【００２４】
シフトレジスタ１２４ｂは、１ライン１２８ｂの有機ＥＬ発光素子１３２に画像データを出力して有機ＥＬ発光素子１３２を動作させる。このため、前回に１ライン１２８ａの有機ＥＬ発光素子１３２で露光された画素は、同じ強さの光量で１ライン１２８ｂの有機ＥＬ発光素子１３２により再度露光される。
【００２５】
このようにして、感光体２を矢視Ｘ方向に移動させながら順次画像データを次段のシフトレジスタに転送して、異なる列の有機ＥＬ発光素子のラインで同一画素を順次露光する。
【００２６】
このため、図７の例では各画素は単一の有機ＥＬ発光素子で露光される場合の５倍の光量で露光されることになり、各画素の露光に必要な光量を高速で取得することができる。有機ＥＬ発光素子が配置されたラインの副走査方向の列数、すなわち、画素を単一の有機ＥＬ発光素子で露光する場合に得られる光量の倍数は、必要に応じて適宜選定することができる。
【００２７】
図７の構成で中間濃度の階調制御を行う場合には、例えば所定の輝度を１としたときに、輝度０．１の画像データをデータ処理装置２３からシフトレジスタ２４ａに入力する。前記のように、感光体を移動させながら画像データをシフトレジスタ２４ａ〜２４ｅに順次転送して、有機ＥＬ発光素子に出力する処理により、１画素の輝度は、０．１×５＝０．５となり中間濃度が得られる。このようにして、画素を露光する際の階調出力が得られる。
【００２８】
本発明においては、発光素子をパルス幅変調（ＰＷＭ）方式で制御することにより、発光光量の制御を行う。また、ＰＷＭ方式の制御とすることにより発光素子の階調制御を実施する構成とすることができる。
【００２９】
上記構成のように、有機ＥＬ発光素子６を感光体２の主走査方向に複数個配列したラインを、感光体２の副走査方向に複数列配置し、前記複数列の有機ＥＬ発光素子６で感光体２の同一画素をロッドレンズを通して多重露光する際、別体に形成された色収差補正レンズ２５が、副走査方向の色収差を補正するので、スポットの副走査方向の増大化を防止し、多重露光によるＰＷＭ制御による階調表現の画質が向上する。
【００３０】
本発明においては、上記のような本発明の有機ＥＬアレイによる露光手段１を例えば電子写真方式のカラー画像形成装置の露光ヘッドに用いることにする。図８は、４個の有機ＥＬアレイ露光ヘッド１Ｋ、１Ｃ、１Ｍ、１Ｙを対応する同様の４個の感光体ドラム４１Ｋ、４１Ｃ、４１Ｍ、４１Ｙの露光位置にそれぞれ配置したタンデム方式のカラー画像形成装置の１例の全体の概略構成を示す正面図である。図１０に示すように、この画像形成装置は、駆動ローラ５１と従動ローラ５２とテンションローラ５３とでテンションを加えて張架されて、図示矢印方向（反時計方向）へ循環駆動される中間転写ベルト５０を備え、この中間転写ベルト５０に対して所定間隔で配置された４個の感光体としての外周面に感光層を有する感光体４１Ｋ、４１Ｃ、４１Ｍ、４１Ｙが配置される。符号の後に付加されたＫ、Ｃ、Ｍ、Ｙはそれぞれ黒、シアン、マゼンタ、イエローを意味し、それぞれ黒、シアン、マゼンタ、イエロー用の感光体であることを示す。他の部材についても同様である。感光体４１Ｋ、４１Ｃ、４１Ｍ、４１Ｙは中間転写ベルト５０の駆動と同期して図示矢印方向（時計方向）へ回転駆動されるが、各感光体４１（Ｋ、Ｃ、Ｍ、Ｙ）の周囲には、それぞれ感光体４１（Ｋ、Ｃ、Ｍ、Ｙ）の外周面を一様に帯電させる帯電手段（コロナ帯電器）４２（Ｋ、Ｃ、Ｍ、Ｙ）と、この帯電手段４２（Ｋ、Ｃ、Ｍ、Ｙ）により一様に帯電させられた外周面を感光体４１（Ｋ、Ｃ、Ｍ、Ｙ）の回転に同期して順次ライン走査する本発明の上記のような有機ＥＬアレイ露光ヘッド１（Ｋ、Ｃ、Ｍ、Ｙ）と、この有機ＥＬアレイ露光ヘッド１（Ｋ、Ｃ、Ｍ、Ｙ）で形成された静電潜像に現像剤であるトナーを付与して可視像（トナー像）とする現像装置４４（Ｋ、Ｃ、Ｍ、Ｙ）と、この現像装置４４（Ｋ、Ｃ、Ｍ、Ｙ）で現像されたトナー像を一次転写対象である中間転写ベルト５０に順次転写する転写手段としての一次転写ローラ４５（Ｋ、Ｃ、Ｍ、Ｙ）と、転写された後に感光体４１（Ｋ、Ｃ、Ｍ、Ｙ）の表面に残留しているトナーを除去するクリーニング手段としてのクリーニング装置４６（Ｋ、Ｃ、Ｍ、Ｙ）とを有している。
【００３１】
図８で用いる有機ＥＬアレイ露光ヘッド１（Ｋ、Ｃ、Ｍ、Ｙ）は、図１に示すように、各有機ＥＬ発光素子アレイ６’に対応するように、別体で形成された感光体２の副走査方向の色収差を補正する色収差補正レンズ２５が、有機ＥＬ発光素子露光ヘッド１（Ｋ、Ｃ、Ｍ、Ｙ）と結像光学系であるロッドレンズアレイ３’との間に配置する。
【００３２】
現像装置４４（Ｋ、Ｃ、Ｍ、Ｙ）は、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを感光体４１（Ｋ、Ｃ、Ｍ、Ｙ）に接触あるいは押厚させて感光体４１（Ｋ、Ｃ、Ｍ、Ｙ）の電位レベルに応じて現像剤を付着させることによりトナー像として現像するものである。
【００３３】
このような４色の単色トナー像形成ステーションにより形成された黒、シアン、マゼンタ、イエローの各トナー像は、一次転写ローラ４５（Ｋ、Ｃ、Ｍ、Ｙ）に印加される一次転写バイアスにより中間転写ベルト５０上に順次一次転写され、中間転写ベルト５０上で順次重ね合わされてフルカラーとなったトナー像は、二次転写ローラ６６において用紙等の記録媒体Ｐに二次転写され、定着部である定着ローラ対６１を通ることで記録媒体Ｐ上に定着され、排紙ローラ対６２によって、装置上部に形成された排紙トレイ６８上へ排出される。
【００３４】
なお、図８中、６３は多数枚の記録媒体Ｐが積層保持されている給紙カセット、６４は給紙カセット６３から記録媒体Ｐを一枚ずつ給送するピックアップローラ、６５は二次転写ローラ６６の二次転写部への記録媒体Ｐの供給タイミングを規定するゲートローラ対、６６は中間転写ベルト５０との間で二次転写部を形成する二次転写手段としての二次転写ローラ、６７は二次転写後に中間転写ベルト５０の表面に残留しているトナーを除去するクリーニング手段としてのクリーニングブレードである。
【図面の簡単な説明】
【００３５】
【図１】本発明の画像形成装置の実施形態を示す図である。
【図２】本発明の画像形成装置の実施形態を示す図である。
【図３】本発明の画像形成装置の実施形態を示す図である。
【図４】本発明の画像形成装置の実施形態を示す図である。
【図５】本発明の画像形成装置の実施形態を示す図である。
【図６】本発明の画像形成装置の実施形態を示す図である。
【図７】本発明の画像形成装置の実施形態を示す図である。
【図８】本発明の画像形成装置の実施形態を示す図である。
【図９】従来技術を示す図である。
【図１０】従来技術を示す図である。
【符号の説明】
【００３６】
１：露光手段
１（Ｋ、Ｃ、Ｍ、Ｙ）：有機ＥＬアレイ露光ヘッド
２：感光体
３：ロッドレンズ
３’：ロッドレンズアレイ
４：ハウジング
５：ガラス基板
６：有機ＥＬ発光素子
６’：有機ＥＬ発光素子アレイ
７：不透明カバー
８：発光部
９：ＴＦＴ
１０：絶縁膜
１１：陽極
１２：絶縁膜
１３：穴
１４：バンク
１５：正孔注入層
１６：発光層
１７：陰極第１層
１８：陰極第２層
１９：不活性ガス
２０：カバーガラス
２１：位置決めピン
２２：固定ねじ穴
２３：駆動回路
２４：固定板バネ
２５：色収差補正レンズ
２６：第１レンズ
２７：第２レンズ
２８：発光部の発光中心位置
２９：色収差補正レンズの中心位置
４２（Ｋ、Ｃ、Ｍ、Ｙ）：感光体ドラム
４４（Ｋ、Ｃ、Ｍ、Ｙ）：帯電手段（コロナ帯電器）
４５（Ｋ、Ｃ、Ｍ、Ｙ）：現像器
４６（Ｋ、Ｃ、Ｍ、Ｙ）：一次転写ローラ
５０：クリーニング装置
５１：中間転写ベルト
５２：駆動ローラ
５３：従動ローラ
６１：テンションローラ
６２：定着ローラ対
６３：排紙ローラ対
６４：給紙カセット
６５：ピックアップローラ
６６：ゲートローラ対
６７：二次転写ローラ
６８：クリーニングブレード
Ｓ：排紙トレイ
Ｐ：記録媒体
１２１：ホストコンピュータ
１２２：画像形成装置の制御部
１２３：データ処理部
１２４〜１２７：記憶部
１２８〜１３１：有機ＥＬ発光素子ラインヘッド
１２８ａ〜１２８ｅ：有機ＥＬ発光素子ライン
１２４ａ〜１２４ｅ：シフトレジスタ
【図１】
2006110728.tif 000003
【図２】
2006110728.tif 000004
【図３】
2006110728.tif 000005
【図４】
2006110728.tif 000006
【図５】
2006110728.tif 000007
【図６】
2006110728.tif 000008
【図７】
2006110728.tif 000009
【図８】
2006110728.tif 000010
【図９】
2006110728.tif 000011
【図１０】
2006110728.tif 000012